(57)【要約】      （修正有）【課題】ガイド部材を傷付けることなくエンコーダスケールの汚れを除去する。【解決手段】用紙Ｐに対して画像を形成可能な記録ヘッドを搭載したキャリッジを往復動可能に支持するガイド部材と、所定の方向に沿って配置された長尺形状のエンコーダスケール５と、ガイド部材とは異なる位置に配置され、エンコーダスケール５の長手方向に沿って延出されているカバー部材９とを備えた記録装置に対して、着脱可能な清掃部材８において、カバー部材９に着脱自在に係合されるとともに、エンコーダスケール５の長手方向に沿って摺動可能な係合部８０と、エンコーダスケール５を挟持可能な一対の清掃パッド８３、８４からなる清掃部８２とが備えられている。使用者は、清掃部８２でエンコーダスケール５を挟持した状態で清掃部材８をカバー部材９に沿って摺動させることにより、エンコーダスケール５を清掃する。【選択図】図８
2010214835.tif 000002
【特許請求の範囲】
【請求項１】
被記録媒体に対して画像を形成可能な記録ヘッドと、
当該記録ヘッドを搭載し所定の方向に往復動可能なキャリッジと、
当該キャリッジを往復動可能に支持するガイド部材と、
前記所定の方向に沿って配置された長尺形状のエンコーダスケールと、
前記ガイド部材とは異なる位置に配置され、前記エンコーダスケールの長手方向に沿って延出されている摺動部材と
を備えた記録装置に対して、着脱可能な清掃部材であって、
前記摺動部材に着脱自在に係合されるとともに、前記エンコーダスケールの長手方向に沿って摺動可能な係合部と、
前記エンコーダスケールを清掃可能な清掃部とが備えられていることを特徴とする清掃部材。
【請求項２】
前記清掃部は、前記エンコーダスケールを挟持可能な一対の清掃パッドを備えていることを特徴とする請求項１に記載の清掃部材。
【請求項３】
前記係合部には、前記エンコーダスケールの挟持を解除する方向にスライド可能な押圧部が設けられており、前記一対の清掃パッドのうち、一方が当該押圧部に設けられ、他方が前記係合部に設けられていることを特徴とする請求項２に記載の清掃部材。
【請求項４】
前記一対の清掃パッドが常に押圧されるように、前記押圧部を付勢する付勢部材が設けられていることを特徴とする請求項３に記載の清掃部材。
【請求項５】
当該清掃部材が前記記録装置に前記一対の清掃パッドを離間した状態で装着されるとき、前記エンコーダスケールが前記一対の清掃パッドの間に配置されるように、当該清掃部材を前記摺動部材に対して案内するガイドリブを備えていることを特徴とする請求項３または４に記載の清掃部材。
【請求項６】
前記一対の清掃パッドのうち、少なくとも一方の清掃パッドにおける前記エンコーダスケールに対向する面が凸湾曲面であることを特徴とする請求項２〜５のいずれかに記載の清掃部材。
【請求項７】
前記係合部は、前記摺動部材と複数箇所で係合されることを特徴とする請求項１〜６のいずれかに記載の清掃部材。
【請求項８】
前記係合部には、前記摺動部材に当該清掃部材が装着されるとき、使用者にクリック感を付与する突起部が設けられていることを特徴とする請求項７に記載の清掃部材。
【請求項９】
前記係合部には、前記エンコーダスケールの清掃時に使用者により把持される把持部が更に設けられていることを特徴とする請求項１〜８のいずれかに記載の清掃部材。
【請求項１０】
前記エンコーダスケールの上方であって前記摺動部材の長手方向の一部に、開口部が設けられていることを特徴とする請求項１〜９のいずれかに記載の清掃部材を着脱可能な記録装置。
【請求項１１】
前記摺動部材は、少なくとも前記ガイド部材および前記エンコーダスケールの上方を覆うカバー部材であることを特徴とする請求項１０に記載の記録装置。
【発明の詳細な説明】
【技術分野】
【０００１】
本発明は、記録ヘッドを主走査方向に往復移動させて被記録媒体に画像の記録を行う記録装置に用いられているリニアエンコーダスケールの表面を清掃する清掃部材、およびこの清掃部材を着脱可能な記録装置に関する。
【背景技術】
【０００２】
シリアルスキャン型の記録装置では、記録ヘッドが装着されたキャリッジが被記録媒体に対して主走査方向に移動しながら被記録媒体上に画像の記録が行われる。このような記録装置では、キャリッジの主走査方向位置や速度等を検出する検知手段として、様々な方式のリニアエンコーダが用いられてきた。その中でも光学式のエンコーダは検出部がエンコーダスケールに接触せずに検知可能であるため耐久性に優れ、また、磁界の変化などの外乱に強く、安価であり、さらに高精度、高分解能の位置検出に適しているため、高性能記録装置においては主流となっている。
【０００３】
しかしながら最近では、装置の高性能化の要求とともに、光学式リニアエンコーダに更なる高精度、高分解能が要求されており、それによって以下のような欠点が問題視されている。
【０００４】
記録装置内部は、インク、紙粉、潤滑油等汚れの原因となるものが多く、エンコーダスケール表面にこれらが付着すると透過光が減少し、リニアエンコーダの信号出力を低下させる。特にインクジェット記録装置においては、記録ヘッドからのインク吐出時に微少のインクが霧状になったインクミストが空気中に飛散することにより、装置内部の部品にインクが付着しやすく、また、エンコーダスケール表面に付着する可能性も大きい。
【０００５】
また、光学式リニアエンコーダにおいて、単に明暗スリットの本数を受光素子によって単純にカウントする方式に対し、反射、屈折等の光学現象を組み合わせて利用して高分解能、高精度で検知する方式が登場しているが、このような方式では、透過性を持ちエンコーダスケール表面の曲率を変える水滴等の汚れがスケール表面に付着すると、スケールの透過光が正常な光路から外れるため、ゲイン調整では修正できない誤信号が発生する。
【０００６】
上記の誤信号による誤差は、例えば、リニアエンコーダを用いる記録装置の印字性能を左右することは言うまでもなく、誤信号による誤差の積み重なりがキャリッジの停止位置を狂わせ、最悪の場合、高速で駆動されるキャリッジの他部品への衝突による機械破損、暴走などが生じ、信頼性、耐久性の低下につながる問題を招く。
【０００７】
このような課題を解決するため、エンコーダスケールに付着した汚れを除去する、記録装置に対して着脱可能な清掃部材が提案されている。例えば、特許文献１には、記録装置に備えられたキャリッジを支持し主走査方向にガイドするガイド部材４およびガイド軸５に着脱自在に係合し、位置スケール７の表裏に密着する清掃部材２１、２２を具備した位置スケール清掃工具１が記載されている。ユーザは、この位置スケール清掃工具１を記録装置に装着し、ガイド部材４およびガイド軸５に沿って位置スケール７と平行に移動させることにより、位置スケール７の清掃を行うことができる。なお、各構成要素の番号は、特許文献１に記載の番号を示すもので、後述する本願発明の実施形態における番号とは無関係である。
【先行技術文献】
【特許文献】
【０００８】
【特許文献１】特開２００５−２９７５１４号公報
【発明の概要】
【発明が解決しようとする課題】
【０００９】
しかしながら、特許文献１に記載の発明の構成では、位置スケール７を清掃するため、ユーザが位置スケール清掃工具１をガイド部材４およびガイド軸５に沿って摺動させている。これにより、キャリッジの摺動性を確保するためにガイド部材４およびガイド軸５に塗布されている潤滑油が拭き取られ、さらにはガイド部材４およびガイド軸５を傷付けてしまう虞がある。その結果、キャリッジの摺動性が低下し、記録される画像の品質が低下するという問題があった。
【００１０】
本発明は、上述した問題点を解決するためになされたものであり、ガイド部材を傷付けることなくエンコーダスケールの汚れを除去することが可能な清掃部材、およびこの清掃部材を着脱可能な記録装置を提供することを目的とする。
【課題を解決するための手段】
【００１１】
前記目的を達成するために、本発明の清掃部材は、被記録媒体に対して画像を形成可能な記録ヘッドと、当該記録ヘッドを搭載し所定の方向に往復動可能なキャリッジと、当該キャリッジを往復動可能に支持するガイド部材と、前記所定の方向に沿って配置された長尺形状のエンコーダスケールと、前記ガイド部材とは異なる位置に配置され、前記エンコーダスケールの長手方向に沿って延出されている摺動部材とを備えた記録装置に対して、着脱可能な清掃部材であって、前記摺動部材に着脱自在に係合されるとともに、前記エンコーダスケールの長手方向に沿って摺動可能な係合部と、前記エンコーダスケールを清掃可能な清掃部とが備えられていることを特徴とする。
【発明の効果】
【００１２】
本発明の清掃部材によれば、ガイド部材とは異なる位置に配置され、エンコーダスケールの長手方向に沿って延出されている摺動部材に着脱自在に係合されるとともに、エンコーダスケールの長手方向に沿って摺動可能な係合部と、エンコーダスケールを清掃可能な清掃部とが備えられているので、キャリッジを往復動可能に支持するガイド部材を傷付けることなくエンコーダスケールの汚れを除去することができる。したがって、キャリッジの摺動性の低下が防止され、結果として、記録される画像の品質低下も防止されうるのである。
【図面の簡単な説明】
【００１３】
【図１】本実施形態に係る記録装置の外観斜視図である。
【図２】本実施形態に係る記録部の平面図である。
【図３】（Ａ）は本実施形態に係る清掃部材を示す側面図、（Ｂ）は清掃部材の部分上面図、（Ｃ）は第２清掃パッドを示す斜視図、（Ｄ）および（Ｅ）は清掃部の変形例を示す上面図である。
【図４】本実施形態に係る清掃部材の分解斜視図である。
【図５】（Ａ）は清掃部の装着時における清掃部材の側面図および下面図、（Ｂ）は清掃部の未装着時における清掃部材の側面図および下面図である。
【図６】清掃部材の記録装置への取り付け状態を示す、図１の部分拡大図である。
【図７】（Ａ）は清掃部がエンコーダスケールを挟持する前の状態を示す、図１の部分拡大図、（Ｂ）は清掃部がエンコーダスケールを挟持した状態を示す、図１の部分拡大図である。
【図８】（Ａ）は清掃部材の記録装置への取り付け状態を示す部分側断面図、（Ｂ）は清掃部がエンコーダスケールを挟持した状態を示す部分側断面図である。
【発明を実施するための形態】
【００１４】
以下、本発明に係る清掃部材およびこの清掃部材を着脱可能な記録装置を、多機能装置である記録装置１に具体化した実施形態について、図面を参照しつつ詳細に説明する。この記録装置１は、プリンタ機能、コピー機能、スキャナ機能、ファクシミリ機能を備えた多機能装置（ＭＦＤ：Multi Function Device ）に本発明を適用したものである。
図１に示すように、本実施形態に係る記録装置１は、合成樹脂製の射出成形品からなるハウジング１２を備えている。ハウジング１２の上面には、コピー機能やスキャナ機能を実行するための画像読取装置１１が設けられている。また、ハウジング１２の底部には、記録装置１の前側の開口１ａから差込み可能な給紙カセット２が配置されている。以下、開口１ａがある側を前側または前方といい、これを基準に装置の前側、左右側、後側という。
【００１５】
本実施形態では、給紙カセット２は、被記録媒体としての例えばＡ４サイズ、レターサイズ、リーガルサイズ、はがきサイズ等にカットされた用紙Ｐをその短辺が用紙搬送方向（副走査方向、前後方向）と直交する方向（主走査方向、左右方向）に延びる様にして複数枚積層されて収納できる形態とする。
【００１６】
また、記録装置１の後方かつ上側に記録部７が設けられており、記録部７は、後述するように、プリンタ機能などを実現するためのインクジェット式の記録ヘッド４が搭載された往復動可能なキャリッジ３等からなる。そして、記録部７にて記録された用紙Ｐは、その記録面を上向きにして給紙カセット２の上側から記録装置１の前面に向かって排出される。
【００１７】
次に、本実施形態に係る記録部７の構成について、図２を参照しつつ詳細に説明する。図２に示すように、用紙搬送方向に所定距離を隔てられて、一対のガイド部材６１、６２が主走査方向（左右方向）に延設されている。ガイド部材６１、６２は、記録装置１の筐体内に設けられ、記録装置１を構成する各部材を支持するフレームの一部を構成している。キャリッジ３は、ガイド部材６１、６２を跨ぐようにして主走査方向（左右方向）に摺動可能に載置されており、キャリッジ３およびキャリッジ３に搭載された記録ヘッド４がガイド部材６１、６２上を往復動する。
【００１８】
用紙搬送方向上流側（図２における後側）に配設されているガイド部材６１は、主走査方向（左右方向）の長さがキャリッジ３の往復動範囲より長い平板状のものである。また、用紙搬送方向下流側（図２における前側）に配設されているガイド部材６２は、主走査方向（左右方向）の長さがガイド部材６１とほぼ同じ長さの平板状のものである。キャリッジ３は、その後端における左右方向中央部とその前端における左右方向両端部の３点でガイド部材６１、６２上に載置されている。
【００１９】
ガイド部材６２の用紙搬送方向上流側（図２における後側）の縁部は、上方へ向かって直角に曲折されている。ガイド部材６１、６２に担持されたキャリッジ３は、この上方へ向かって立設した縁部をローラ対等の狭持部材により摺動可能に狭持している。これにより、キャリッジ３は、ガイド部材６１、６２上に摺動自在に担持され、ガイド部材６２の縁部を基準として、主走査方向（左右方向）に往復動する。なお、ガイド部材６１、６２には、キャリッジ３の摺動を円滑にするためにグリスなどの潤滑油が塗布されている。
【００２０】
ガイド部材６２の上方には、リニアエンコーダのエンコーダスケール５が配設されている。エンコーダスケール５は、光を透過させる透光部と光を遮断する遮光部とを備える樹脂からなる帯状のものであり、主走査方向（左右方向）に沿って張設されている。
【００２１】
エンコーダスケール５には、その透光部と遮光部とが、所定ピッチで主走査方向（左右方向）に交互に配置されたパターンが記されている。キャリッジ３の上面のエンコーダスケール５に対応する位置には、キャリッジ３とともに主走査方向（左右方向）に沿って往復動し、エンコーダスケール５のパターンを検知する公知の光学センサ２２が設けられている。光学センサ２２の検知信号に基づいてキャリッジ３の位置や速度が判断され、キャリッジ３の往復動が制御される。
【００２２】
また、記録部７の上面には、適宜空間を隔て、かつガイド部材６１、６２およびエンコーダスケール５の上方を覆うようにして、ガイド部材６１、６２とは異なる位置に配置され、エンコーダスケール５の長手方向（左右方向）に沿って延出されているカバー部材９が設けられている。なお、このカバー部材９の中途部には、紙ジャムが発生した場合に、用紙Ｐを取り出すことが可能な矩形状の窓孔９１が穿設されている。また、カバー部材９は、エンコーダスケール５の上方であって記録装置１の左側端部に主走査方向（左右方向）に沿って矩形状の窓部１０が設けられている。
【００２３】
次に、本実施形態に係る清掃部材８の構成について、図３〜５を参照しつつ詳細に説明する。以下、清掃部材８において第１清掃パッド８３が備えられている側を前側または前方といい、これを基準に清掃部材８の前側、左右側、後側という。図３（Ａ）および図４に示すように、清掃部材８は、後述する、係合部８０と、押圧部８１と、清掃部８２と、付勢部材８５とにより構成されている。
【００２４】
清掃部材８は、係合部８０にてカバー部材９に着脱自在に係合される。係合部８０の底面後方には、カバー部材９の表面に対向配置される係合面８９が形成されており、係合部８０の後方であって係合面８９より下方に位置する角部には、突起部８７が設けられている。また、係合部８０の左右方向両端部には、上方へ突出した係合リブ８８ａ、８８ｂが設けられている。
【００２５】
係合部８０には、その長手方向（前後方向）の中央部に上面視においてコの字形状の把持部９７が設けられている。また、係合部８０の前端部には、後述する第１清掃パッド８３を固定する固定部９６ａが上方へ突出して設けられている。
【００２６】
また、係合部８０は、係合部８０の押圧部８１が装着される領域において、前後方向に長い矩形状の縦穴９３ａと、左右方向に長い矩形状の横穴９３ｂとをＴ字形に交差させた形状の穴部９３が形成されている。
【００２７】
押圧部８１は、係合部８０と同様に、その前端部に、後述する第２清掃パッド８４を固定する固定部９６ｂが上方へ突出して設けられている。また、押圧部８１には、固定部９６ｂから清掃部材８の後方へ向かって突出するガイドリブ８６と、押圧部８１の底面において下方へ突出した凸部９２が設けられている。
【００２８】
清掃部８２は、一対の清掃パッド８３、８４により構成され、係合部８０と押圧部８１それぞれに設けられた固定部９６ａ、９６ｂに嵌合される。以下、係合部８０に設けられた固定部９６ａに嵌合される清掃パッドを第１清掃パッド８３、押圧部８１に設けられた固定部９６ｂに嵌合される清掃パッドを第２清掃パッド８４とする。図３（Ｂ）に示すように、第２清掃パッド８４は、エンコーダスケール５に対向する面がその角部にＲ面を形成した曲面を有している。また、図３（Ｂ）、（Ｃ）に示すように、第１清掃パッド８３と第２清掃パッド８４は、エンコーダスケール５に対向する面にフェルト等からなる清掃面９５ａ、９５ｂがそれぞれ備えられている。
【００２９】
図４に示すように、清掃部材８は、付勢部材８５を介して係合部８０に押圧部８１が装着され、清掃部８２（図３（Ａ）参照）が係合部８０と押圧部８１それぞれに設けられた固定部９６ａ、９６ｂに嵌合されることにより形成される。このような構成をとることにより、清掃部材８は、押圧部８１が係合部８０において前後方向にスライド可能となるため、第１清掃パッド８３と第２清掃パッド８４が離接可能となり、また、第１清掃パッド８３と第２清掃パッド８４とが常に押圧された状態となる。
【００３０】
図５に示すように、押圧部８１は、凸部９２が穴部９３に挿入されることにより係合部８０に装着される。図５（Ａ）下方の下面図に示すように、係合部８０と押圧部８１に清掃部８２が装着された状態では、押圧部８１の前後方向の移動に伴い、凸部９２は、縦穴９３ａの範囲を前後方向に摺動する。一方、図５（Ｂ）に示すように、係合部８０と押圧部８１に清掃部８２が装着されていない状態においては、押圧部８１の前後方向の移動に伴い、凸部９２は穴部９３の全域を前後方向に摺動する。したがって、係合部８０と押圧部８１に清掃部８２が装着された状態において、凸部９２の全範囲が横穴９３ｂの範囲に配置されることはなく、係合部８０と押圧部８１に清掃部８２が装着されていない場合において、係合部８０および押圧部８１にそれぞれ設けられた固定部９６ａ、９６ｂを密着させた状態に限り、凸部９２の全範囲が横穴９３ｂに位置することが可能となり、この状態で押圧部８１を上方に持ち上げることにより、押圧部８１は係合部８０から取り外される。このような構成により、エンコーダスケール５の清掃作業中に押圧部８１が誤って外れることを防ぎ、確実にエンコーダスケール５の汚れを除去することができる。
【００３１】
次に、本実施形態に係る清掃部材８の使用方法について、図６〜８を参照しつつ詳細に説明する。
【００３２】
まず、図６に示すように、使用者は、第１清掃パッド８３と第２清掃パッド８４とが最も離間するように（図３（Ａ）参照）、押圧部８１を後方へ押圧し、その状態でカバー部材９の窓孔９１の左端に清掃部材８の側面を沿わせて挿入する。
【００３３】
次に、図７（Ａ）に示すように、使用者は、押圧部８１を後方へ押圧した状態で、窓部１０から清掃部８２とエンコーダスケール５の位置を確認しながら、エンコーダスケール５が第１清掃パッド８３と第２清掃パッド８４との間に配置されるように装着する。
【００３４】
そして、図７（Ｂ）に示すように、使用者が押圧部８１の後方への押圧を解除することにより、押圧部８１は付勢部材８５の弾性力により前方へ摺動し、エンコーダスケール５は第１清掃パッド８３と第２清掃パッド８４それぞれに設けられた清掃面９５ａ、９５ｂで挟持される。その後、使用者が清掃部材８の後端部を下方（矢印Ｔ方向）に押し込むことにより、清掃部材８はカバー部材９に完全に装着される。このとき、突起部８７がカバー部材９と係合することにより、カバー部材９に対して清掃部材８を正しく装着したことが使用者にクリック感として付与される。
【００３５】
そして、使用者は、把持部９７のうち前後方向に平行な２つの面を持ち、カバー部材９に沿って清掃部材８を主走査方向（左右方向）に移動させることにより、エンコーダスケール５を清掃する。
【００３６】
エンコーダスケール５の清掃終了後は、以上説明した装着時と逆の手順で操作することにより清掃部材８を記録装置１から取り外すことができる。
【００３７】
また、清掃部材８がカバー部材９に装着されるとき、図８（Ａ）に示すように、清掃部材８はガイドリブ８６をカバー部材９に沿わせながら窓孔９１へ挿入されることにより、エンコーダスケール５が第１清掃パッド８３と第２清掃パッド８４の間に配置された状態で清掃部材８がカバー部材９に装着される。
【００３８】
図８（Ｂ）に示すように、清掃部８２がエンコーダスケール５を挟持して記録装置１に装着された状態において、清掃部材８は、係合リブ８８ａ、８８ｂがカバー部材９における窓孔９１の前端部に係合されるとともに、係合面８９がカバー部材９における窓孔９１より後方部分に当接している。すなわち、清掃部材８は、係合リブ８８ａ、８８ｂと、係合面８９の３箇所でカバー部材９と係合されることにより、記録装置１に安定して支持される。
【００３９】
なお、窓部１０は本発明の開口部に相当するものであり、エンコーダスケール５に対向する面の角部にＲ面を形成した曲面は本発明の凸湾曲面に相当するものである。
【００４０】
以上説明したように、本発明における清掃部材８は、ガイド部材６１、６２とは異なる位置に配置され、エンコーダスケール５の長手方向に沿って延出されているカバー部材９に着脱自在に係合されるとともに、エンコーダスケール５の長手方向に沿って摺動可能な係合部８０と、エンコーダスケール５を清掃可能な清掃部８２とが備えられているので、キャリッジ３を往復動可能に支持するガイド部材６１、６２を傷付けることなくエンコーダスケール５の汚れを除去することができる。したがって、キャリッジ３の摺動性の低下が防止され、結果として、記録される画像の品質低下も防止されうる。
【００４１】
また、清掃部８２は、エンコーダスケール５を挟持可能な一対の清掃パッド８３、８４を備えているので、エンコーダスケール５の表裏の汚れを除去することができる。
【００４２】
また、係合部８０には、エンコーダスケール５の挟持を解除する方向にスライド可能な押圧部８１が設けられており、第１清掃パッド８３が係合部８０に設けられ、第２清掃パッド８４が押圧部８１に設けられているので、一対の清掃パッドである第１清掃パッド８３と第２清掃パッド８４は離接可能となる。したがって、エンコーダスケール５を一対の清掃パッド８３、８４で容易に挟持することができる。
【００４３】
また、本発明における清掃部材８は、一対の清掃パッド８３、８４が常に押圧されるように、押圧部８１を付勢する付勢部材８５が設けられているので、一対の清掃パッド８３、８４がエンコーダスケール５を一定の圧力で挟み込むことにより、エンコーダスケール５の汚れを確実に除去することができる。
【００４４】
また、清掃部材８が記録装置１に一対の清掃パッド８３、８４を離間した状態で装着されるとき、エンコーダスケール５が一対の清掃パッド８３、８４の間に配置されるように、清掃部材８をカバー部材９に対して案内するガイドリブ８６を備えているので、清掃部材８は、ガイドリブ８６をカバー部材９に沿わせながら窓孔９１へ挿入されることにより、記録装置１への装着が容易となる。
【００４５】
また、第２清掃パッド８４は、エンコーダスケール５に対向する面がその角部にＲ面を形成した曲面（凸湾曲面）を有しているので、エンコーダスケール５の清掃を行う際に、第２清掃パッド８４をエンコーダスケール５に円滑に当接させることが可能となり、エンコーダスケール５の汚れをさらに確実に除去することができる。
【００４６】
また、清掃部材８は、係合部８０における係合リブ８８ａ、８８ｂと、係合面８９の３箇所でカバー部材９に係合されることにより、安定して記録装置１に支持された状態で主走査方向（図８における紙面に直交方向）に摺動されるので、エンコーダスケール５の汚れをより一層確実に除去することができる。
【００４７】
また、カバー部材９に清掃部材８が装着されるとき、使用者にクリック感を付与する突起部８７が係合部８０に設けられているので、清掃部材８がカバー部材９から容易に外れることなく保持される。また、突起部８７とカバー部材９との係合により、カバー部材９に対して清掃部材８を正しく装着したことが使用者にクリック感として伝わるので、不完全な装着状態となることを防止することができる。
【００４８】
また、係合部８０には、エンコーダスケール５の清掃時に使用者により把持される把持部９７が更に設けられているので、使用者が把持部９７を持って、清掃部材８を摺動させることによりエンコーダスケール５が清掃される。したがって、使用者によるエンコーダスケール５の清掃作業が容易になる。
【００４９】
また、本発明における清掃部材８を着脱可能な記録装置１は、エンコーダスケール５の上方であってカバー部材９の長手方向の一部に、窓部１０が設けられているので、容易かつ確実に、一対の清掃パッド８３、８４がエンコーダスケール５を挟持した状態で清掃部材８が記録装置１に装着され、ガイド部材６１、６２を傷付けることなくエンコーダスケール５の汚れを除去することができる。
【００５０】
さらに、本発明における清掃部材８は、ガイド部材６１、６２およびエンコーダスケール５の上方を覆うようにして配設されたカバー部材９に装着されるので、記録装置１への着脱作業がより一層容易となり、ガイド部材６１、６２を傷付けることなくエンコーダスケール５の汚れを除去することができる。
【００５１】
以上、本発明の一実施形態について説明したが、本発明は上記実施形態に限定されるものではなく、本発明の要旨を逸脱しない範囲内で種々の態様を採ることができる。
【００５２】
本実施形態では、第２清掃パッド８４は、エンコーダスケール５に対向する面がその角部にＲ面を形成した曲面を有しているが、図３（Ｄ）に示すように、第１清掃パッド８３に上述の曲面が形成されていてもよく、また、図３（Ｅ）に示すように、第１清掃パッド８３と第２清掃パッド８４の両方に形成されていてもよい。
【００５３】
また、本実施形態では、清掃部材８は、カバー部材９と３箇所で係合しているが、係合箇所は３箇所に限定されるものではない。
【００５４】
本実施形態において、カバー部材９の長手方向左端部に窓部１０を設けた構成を説明しているが、窓部１０の配置は、左端部に限定されるものではなく、カバー部材９の長手方向の一部に設けられていればよい。
【００５５】
さらに、本実施形態では、上述のように、ガイドリブ８６を用いて装着することにより、窓部１０が設けられていないカバー部材９が備えられた記録装置１においても、一対の清掃パッド８３、８４がエンコーダスケール５を挟持した状態で清掃部材８を記録装置１へ装着することが可能となる。ただし、本実施形態のように、カバー部材９の長手方向の一部に窓部１０を設けた構成とした方が、容易かつ確実に清掃部材８を記録装置１へ装着できるので好ましい。
【符号の説明】
【００５６】
１              記録装置
３              キャリッジ
４              記録ヘッド
５              エンコーダスケール
７              記録部
８              清掃部材
９              カバー部材
１０            窓部
６１、６２      ガイド部材
８０            係合部
８１            押圧部
８２            清掃部
８３            第１清掃パッド
８４            第２清掃パッド
８５            付勢部材
８６            ガイドリブ
８７            突起部
８８ａ、８８ｂ  係合リブ
８９            係合面
９２            凸部
９３            穴部
９５ａ、９５ｂ  清掃面
９６ａ、９６ｂ  固定部
Ｐ              用紙
【図１】
2010214835.tif 000003
【図２】
2010214835.tif 000004
【図３】
2010214835.tif 000005
【図４】
2010214835.tif 000006
【図５】
2010214835.tif 000007
【図６】
2010214835.tif 000008
【図７】
2010214835.tif 000009
【図８】
2010214835.tif 000010